(57)【要約】【課題】黒体軌跡もしくはＣＩＥ昼光軌跡とほぼ一致する色度座標を有する光を発する照明装置の製造コストや消費電力を抑える。【解決手段】光源回路１２２ａの光源（第一の光源）は、相関色温度が５０００ケルビン以上１００００ケルビン以下かつｘｙ色度図上で示される黒体軌跡との偏差ｄｕｖが±０．０２以内である光を放射する。光源回路１２２ｂの光源（第二の光源）は、主波長が５７０ナノメートル以上６００ナノメートル以下である光を放射する。混色部１８０は、第一の光源が放射した光と第二の光源が放射した光とを混合して、相関色温度が１００００ケルビン以下である光を生成する。【選択図】図３
2011138731.tif 000002
【特許請求の範囲】
【請求項１】
複数の光源と、混色部とを有し、
上記複数の光源のうち第一の光源は、相関色温度が５０００ケルビン以上１００００ケルビン以下かつｘｙ色度図上で示される黒体軌跡との偏差ｄｕｖが±０．０２以内である光を放射し、
上記複数の光源のうち第二の光源は、主波長が５７０ナノメートル以上６００ナノメートル以下である光を放射し、
上記混色部は、上記第一の光源が放射した光と上記第二の光源が放射した光とを混合して、相関色温度が１００００ケルビン以下である光を生成することを特徴とする照明装置。
【請求項２】
複数の光源と、混色部とを有し、
上記複数の光源のうち第一の光源は、相関色温度が５０００ケルビン以上１００００ケルビン以下かつｘｙ色度図上で示される黒体軌跡との偏差ｄｕｖが±０．０２以内である光を放射し、
上記複数の光源のうち第二の光源は、主波長が５３０ナノメートル以上５７０ナノメートル以下である光を放射し、
上記複数の光源のうち第三の光源は、主波長が５９０ナノメートル以上７００ナノメートル以下である光を放射し、
上記混色部は、上記第一の光源が放射した光と上記第二の光源が放射した光と上記第三の光源が放射した光とを混合して、相関色温度が１００００ケルビン以下である光を生成することを特徴とする照明装置。
【請求項３】
上記照明装置は、更に、色温度選択部と、発光強度設定部とを有し、
上記色温度設定部は、１００００ケルビン以下の相関色温度からいずれかの相関色温度を選択して、設定色温度とし、
上記発光強度設定部は、上記混色部が生成する光の相関色温度が、上記色温度設定部が選択した設定色温度となるよう、上記複数の光源の発光強度を設定することを特徴とする請求項１または請求項２に記載の照明装置。
【請求項４】
上記照明装置は、更に、計時部を有し、
上記計時部は、現在時刻を計測し、
上記色温度設定部は、上記計時部が計測した現在時刻に基づいて、自然光の相関色温度とほぼ一致する相関色温度を選択し、設定色温度とすることを特徴とする請求項３に記載の照明装置。
【請求項５】
上記混色部は、導光板と、拡散部とを有し、
上記導光板は、上記複数の光源が放射した光を入射し、
上記拡散部は、上記導光板が入射した光を拡散して混合することを特徴とする請求項１乃至請求項４のいずれかに記載の照明装置。
【請求項６】
上記照明装置は、更に、出射部を有し、
上記出射部は、上記混色部が生成した光を平面状の出射面からほぼ均一に出射することを特徴とする請求項１乃至請求項５のいずれかに記載の照明装置。
【請求項７】
上記出射部は、上記出射面に対して所定の角度をなす方向を中心として、上記混色部が生成した光を出射することを特徴とする請求項６に記載の照明装置。
【請求項８】
上記出射部は、上記混色部が生成した光を出射する方向を、上記出射面に対して所定の角度をなす方向へ屈折させるプリズム板を有することを特徴とする請求項６または請求項７に記載の照明装置。
【発明の詳細な説明】
【技術分野】
【０００１】
この発明は、例えば擬似窓として機能する照明装置に関する。
【背景技術】
【０００２】
照明装置の薄型化が進み、例えば壁などにかけて使用することができる照明装置がある。
【先行技術文献】
【特許文献】
【０００３】
【特許文献１】特開平１１−２６０５７２号公報
【特許文献２】特開平９−２０５６０２号公報
【発明の概要】
【発明が解決しようとする課題】
【０００４】
壁などにかけて使用できる照明装置は、例えば擬似窓として機能させることができる。
擬似窓として機能させる照明装置やその他一般の用途に用いられる照明装置が発する光は、黒体軌跡もしくＣＩＥ昼光軌跡とほぼ一致する色度座標を有することが望ましい。
また、照明装置の製造コストや消費電力を抑えることは、いままで以上に課題となっている。
この発明は、例えば上記のような課題を解決するためになされたものであり、黒体軌跡もしくＣＩＥ昼光軌跡とほぼ一致する色度座標を有する光を発する照明装置の製造コストや消費電力を抑えることを目的とする。
【課題を解決するための手段】
【０００５】
この発明にかかる照明装置は、
複数の光源と、混色部とを有し、
上記複数の光源のうち第一の光源は、相関色温度が５０００ケルビン以上１００００ケルビン以下かつｘｙ色度図上で示される黒体軌跡との偏差ｄｕｖが±０．０２以内である光を放射し、
上記複数の光源のうち第二の光源は、主波長が５７０ナノメートル以上６００ナノメートル以下である光を放射し、
上記混色部は、上記第一の光源が放射した光と上記第二の光源が放射した光とを混合して、相関色温度が１００００ケルビン以下である光を生成することを特徴とする。
【発明の効果】
【０００６】
この発明にかかる照明装置によれば、第一の光源が放射した光と、第二の光源が放射した光とを、混色部が混合した光を生成するので、所定の相関色温度の範囲内において、黒体軌跡もしくＣＩＥ昼光軌跡とほぼ一致する色度座標を有する光を生成することができる。黒体軌跡もしくＣＩＥ昼光軌跡とほぼ一致する色度座標を有する光を、２種類の光源のみで生成することができるので、照明装置の部品数を削減することができ、照明装置の製造コストや消費電力を抑えることができる。
【図面の簡単な説明】
【０００７】
【図１】実施の形態１における照明装置１００の外観の一例を示す斜視図。
【図２】実施の形態１における照明装置１００の内部構造の一例を示す断面正視図。
【図３】実施の形態１における照明装置１００の機能ブロックの一例を示すブロック構成図。
【図４】実施の形態１における照明装置１００が放射する光の色度座標の一例を表わす色度図。
【図５】実施の形態１における電力算出テーブル６２０の一例を示す図。
【図６】実施の形態１における照明処理Ｓ５１０の流れの一例を示すフローチャート図。
【図７】実施の形態２における照明装置１００の機能ブロックの一例を示すブロック構成図。
【図８】実施の形態２における照明装置１００が放射する光の色度座標の一例を表わす色度図。
【図９】実施の形態３における照明装置１００の機能ブロックの一例を示すブロック構成図。
【図１０】実施の形態３における色温度算出テーブル６１０の一例を示す図。
【図１１】実施の形態３における照明処理Ｓ５１０の流れの一例を示すフローチャート図。
【図１２】実施の形態４における照明装置１００の機能ブロックの一例を示すブロック構成図。
【図１３】実施の形態５における照明装置１００の機能ブロックの一例を示すブロック構成図。
【図１４】実施の形態５における電力算出テーブル６２０の一例を示す図。
【図１５】実施の形態５における照明処理Ｓ５１０の流れの一例を示すフローチャート図。
【図１６】実施の形態６における照明装置１００の内部構造の一例を示す断面正視図。
【図１７】実施の形態６におけるプリズム板１８４の構造の一例を示す側面視拡大断面図。
【図１８】実施の形態６における照明装置１００の配光特性の一例を示すグラフ図。
【発明を実施するための形態】
【０００８】
実施の形態１．
実施の形態１について、図１〜図６を用いて説明する。
【０００９】
図１は、この実施の形態における照明装置１００の外観の一例を示す斜視図である。
照明装置１００は、窓を模した形状を有する。照明装置１００は、窓から取り入れられた外光を模した光を発することにより、例えば、窓のない室内において使用者の閉塞感を軽減する。
照明装置１００は、フレーム１９０、出射面１８５を有する。
フレーム１９０は、窓枠に相当する部分である。
出射面１８５は、窓ガラスに相当する部分である。照明装置１００は、曇りガラスを通して取り入れられた外光を模した光を、出射面１８５から放射する。
【００１０】
図２は、この実施の形態における照明装置１００の内部構造の一例を示す断面正視図である。
照明装置１００は、光源基板１２０、回路基板１１０、配線１７０、導光板１８１、反射板１８２、拡散板１８３を有する。
【００１１】
光源基板１２０には、例えば発光ダイオード（ＬＥＤ）などの電気的な光源１２１や、光源１２１に電力を供給するための配線などが実装されている。
光源基板１２０には、複数の光源１２１が実装されている。光源１２１には、少なくとも２種類の光源が含まれる。
第一の種類の光源１２１（以下「光源１２１ａ」と呼ぶ。）は、例えば白色光源や無彩色光源である。白色光源とは、白色光を放射する光源のことである。ここでいう白色光とは、黒体が放射する自然光に近く、かつ、相関色温度が５０００ケルビンから１００００ケルビンの光をいう。したがって白色光源ならびに無彩色光源とは、日本工業規格（以下「ＪＩＳ」と呼ぶ。）Ｚ９１１２で定義される昼光色や昼白色を含むだけでなく、さらに相関色温度が高温域のものを含んだ光を放射する光源のことである。
第二の種類の光源１２１（以下「光源１２１ｂ」と呼ぶ。）は、例えば単色光源や有彩色光源である。単色光源とは、主として単一の波長の光を放射する光源のことである。なお、厳密に単一の波長の光のみを放射する光源のみを単色光源と呼ぶ場合もあるが、ここでは、そこまで厳密な意味ではなく、主たる波長以外の波長の光も放射する光源も含めて、単色光源と呼ぶ。単色光源には、例えば赤色ＬＥＤなどがある。赤色ＬＥＤなどの単色光源は一般に安価であるから、そのような安価な光源を光源１２１ｂとして用いることにより、照明装置１００の製造コストを抑えることができる。有彩色光源とは、有彩色刺激を生じさせる光（以下「有彩色光」と呼ぶ。）を放射する光源のことである。単色光源は有彩色光源の一種であるが、有彩色光源は、単色光源に限らず、複数の波長の光が同じくらいの割合で混合した光を放射する光源も含む。
光源１２１ａと光源１２１ｂとは、その数の比率に応じて、放射する光が均等になるよう、配置されている。例えば、光源１２１ａの数と光源１２１ｂの数との比率が２：１であれば、光源１２１ａを２個、光源１２１ｂを１個並べた３個の光源１２１からなるパターンを１つの単位とし、この単位パターンを繰り返すことにより、複数の光源１２１を配置する。
【００１２】
回路基板１１０には、光源１２１を駆動する電力を生成する電源回路などが実装されている。
電源回路は、例えば商用電源などの交流電源から供給された電力を、光源１２１を駆動する電力に変換する。
【００１３】
配線１７０は、回路基板１１０と光源基板１２０とを電気接続している。電源回路が生成した電力は、配線１７０を介して、光源基板１２０に供給される。
【００１４】
導光板１８１は、例えば長方形板状である。導光板１８１は、光源１２１が放射した光を側面から入射する。
反射板１８２は、例えば、導光板１８１の裏側や、光源１２１からの光を入射する側面を除く導光板１８１の側面を覆う形状である。反射板１８２は、内側が光を全反射する。これにより、導光板１８１の裏側や側面から出射する光を反射し、導光板１８１へ再び入射させる。
拡散板１８３は、例えば長方形板状である。拡散板１８３は、導光板１８１とほぼ同じ広さを有し、導光板１８１の表側に重ねて配置されている。拡散板１８３の一部は、出射面１８５として照明装置１００の外部に露出している。拡散板１８３は、導光板１８１から入射した光をランダムに拡散し、拡散した光を出射面１８５から出射する。
導光板１８１には、裏側の面に、拡散パターンが施されている。拡散パターンは、例えば凹凸加工やドット印刷などにより形成されたものであり、導光板１８１が入射した光を乱反射する。拡散パターンは、拡散板１８３に入射する光がほぼ均等になるよう、例えば光源１２１に近い側ほど粗く、光源１２１から遠くなるほど密になるよう形成されている。これにより、拡散板１８３が出射面１８５から出射する光がほぼ均等になる。
【００１５】
光源１２１が放射した光は、導光板１８１に入射する。導光板１８１に入射した光は、拡散パターンにより乱反射し、拡散板１８３に入射する。拡散板１８３に入射した光は、拡散板１８３のなかで拡散し、出射面１８５から照明装置１００の外部に出射する。これにより、光源１２１ａが放射した光と光源１２１ｂが放射した光とがほど良く混合され、均質な光となって、出射面１８５から出射する。
以下、導光板１８１・反射板１８２・拡散板１８３をまとめて、混色部１８０と呼ぶ。混色部１８０は、光源１２１ａが放射した光と、光源１２１ｂが放射した光とを混合して、均質な光を生成する。なお、混色部１８０は、同等の機能を実現するものであれば、導光板１８１・反射板１８２・拡散板１８３によって構成されたものでなくてもよい。
【００１６】
図３は、この実施の形態における照明装置１００の機能ブロックの一例を示すブロック構成図である。
光源基板１２０には、２つの光源回路１２２ａ，１２２ｂが実装されている。
光源回路１２２ａは、複数の光源１２１ａを例えば直列に電気接続した回路である。
光源回路１２２ｂは、複数の光源１２１ｂを例えば直列に電気接続した回路である。
【００１７】
回路基板１１０には、交流直流変換回路１１１、２つの光源駆動回路１１２ａ，１１２ｂ、色温度入力回路１１４、マイクロコンピュータ１３０（以下「マイコン」と呼ぶ。）などが実装されている。
交流直流変換回路１１１は、交流電源ＡＣから供給された交流電力を、直流電力に変換する。
光源駆動回路１１２ａは、交流直流変換回路１１１が変換した直流電力を、光源回路１２２ａに供給する電力に変換する。
光源駆動回路１１２ｂは、交流直流変換回路１１１が変換した直流電力を、光源回路１２２ｂに供給する電力に変換する。
２つの光源回路１２２ａ，１２２ｂは、それぞれ、光源駆動回路１１２ａ，１１２ｂが変換した電力の供給を受け、２種類の光源１２１ａ，１２１ｂが光を放射する。混色部１８０は、２種類の光源１２１ａ，１２１ｂが放射した光を混合して、均質な光を生成し、出射する。
【００１８】
色温度入力回路１１４は、色温度信号を入力する。色温度信号は、照明装置１００が放射する光の相関色温度を指示する信号である。色温度信号は、例えばリモコンなど使用者の操作を入力する装置が、入力した操作にしたがって生成する。
例えば、色温度信号は、赤外線信号である。色温度入力回路１１４は、赤外線受光回路を有する。色温度入力回路１１４は、赤外線受光回路が受光した赤外線信号をマイコン１３０が入力できる形式の信号に変換する。
【００１９】
マイコン１３０は、図示していない処理装置、記憶装置、入力装置、出力装置などを有する。
処理装置（以下「ＣＰＵ」と呼ぶ。）は、記憶装置が記憶したプログラムを実行することにより、データを処理し、記憶装置・入力装置・出力装置などを制御する。
記憶装置は、例えば、不揮発性メモリ（以下「ＲＯＭ」と呼ぶ。）や揮発性メモリ（以下「ＲＡＭ」と呼ぶ。）である。記憶装置は、ＣＰＵが実行するプログラムやＣＰＵが処理するデータなどを記憶する。
入力装置は、例えば、アナログデジタル変換器（以下「ＡＤＣ」と呼ぶ。）である。ＡＤＣは、マイコン１３０の外部からアナログ電気信号を入力し、入力したアナログ電気信号をＣＰＵが処理できるデジタルデータに変換する。ＡＤＣが変換したデータは、ＲＡＭなどが一時的に記憶してもよいし、ＣＰＵが直接処理してもよい。
出力装置は、例えば、デジタルアナログ変換器（以下「ＤＡＣ」と呼ぶ。）である。ＤＡＣは、ＣＰＵが処理したデータやＲＡＭが記憶したデータをアナログ電気信号に変換し、マイコン１３０の外部に出力する。
マイコン１３０は、記憶装置が記憶したプログラムをＣＰＵが実行することにより、色温度設定部１３２、電力設定部１３３などの機能ブロックを実現する。
なお、これらの機能ブロックの一部もしくは全部は、マイコン１３０を用いて実現するのではなく、他の構成により実現してもよい。例えば、照明装置１００は、アナログ回路、デジタル回路、集積回路などを用いて、これらの機能ブロックを実現する構成であってもよい。
【００２０】
色温度設定部１３２は、色温度入力回路１１４が入力した色温度信号が表わす指示に基づいて、照明装置１００が出射面１８５から出射する光の相関色温度を決定して、設定色温度とする。
【００２１】
電力設定部１３３は、色温度設定部１３２が設定した設定色温度に基づいて、光源駆動回路１１２ａが光源回路１２２ａに供給する電力と、光源駆動回路１１２ｂが光源回路１２２ｂに供給する電力とを設定する。
【００２２】
図４は、この実施の形態における照明装置１００が放射する光の色度座標の一例を表わす色度図である。
横軸及び縦軸は、国際照明委員会（以下「ＣＩＥ」と呼ぶ。）１９３１標準表色系における色度座標（ｘ，ｙ）を表わす。
スペクトル軌跡７０１は、単色光の色度座標の軌跡を表わす。黒体軌跡７０２は、黒体放射の色度座標の軌跡を表わす。ＣＩＥ昼光軌跡７０３は、ＣＩＥ昼光の色度座標の軌跡を表わす。
【００２３】
点７２１は、光源１２１ａが放射する光の色度座標を表わす。点７２１の色度座標（ｘ，ｙ）は、例えば、（０．３１，０．３４）である。点７２１は、領域７１１内（境界を含む。以下同じ。）の所定の点である。領域７１１は、例えば、相関色温度が５０００Ｋ以上１００００Ｋ以下、ＣＩＥ１９６０ＵＣＳ色度座標上の黒体軌跡からの偏差ｄｕｖが−０．０２以上０．０２以下の範囲である。ＪＩＳ−Ｚ９１１２で定められた光源色の区分のうち、昼光色および昼白色の一部が領域７１１に含まれる。
点７２２は、光源１２１ｂが放射する光の色度座標を表わす。点７２２の色度座標（ｘ，ｙ）は、例えば、（０．５３，０．４５）である。点７２２は、領域７１２内の所定の点である。領域７１２は、例えば、主波長が５７０ｎｍ（ナノメートル）以上６００ｎｍ以下、刺激純度が０．５以上の範囲である。
線分７０４は、点７２１と点７２２とを結ぶ線分である。光源１２１ａが放射する光束の量（発光強度）と、光源１２１ｂが放射する光束の量（発光強度）とを調整することにより、照明装置１００は、線分７０４上の任意の点の色度座標を有する光を生成することができる。照明装置１００は、線分７０４上の点のうち、領域７１３内の点の色度座標を有する光を生成するよう、光源１２１ａが放射する光束の量と、光源１２１ｂが放射する光束の量とを調整する。領域７１３は、例えば、相関色温度が３０００Ｋ以上５０００Ｋ以下、偏差ｄｕｖが−０．０２以上０．０２以下の範囲である。
光源駆動回路１１２ａが光源回路１２２ａに供給する電力を調整することにより、光源１２１ａが放射する光束の量を調整することができる。また、光源駆動回路１１２ｂが光源回路１２２ｂに供給する電力を調整することにより、光源１２１ｂが放射する光束の量を調整することができる。
【００２４】
電力設定部１３３（発光強度設定部）は、照明装置１００が生成する光の相関色温度が、色温度設定部１３２が設定した設定色温度になるよう、光源駆動回路１１２ａが光源回路１２２ａに供給する電力と、光源駆動回路１１２ｂが光源回路１２２ｂに供給する電力とを設定する。
例えば、あらかじめＲＯＭが電力算出テーブル６２０を記憶しておく。電力設定部１３３は、ＲＯＭが記憶した電力算出テーブル６２０を検索して、色温度設定部１３２が設定した設定色温度に対応する電力を取得する。
【００２５】
図５は、この実施の形態における電力算出テーブル６２０の一例を示す図である。
電力算出テーブル６２０は、設定色温度６２１及び第一電流値６２２及び第二電流値６２３の組からなる行（レコード）を複数含む。
第一電流値６２２は、色温度設定部１３２が設定した設定色温度が同じ行の設定色温度６２１と一致する場合に、光源駆動回路１１２ａが光源回路１２２ａに流す電流として設定すべき値を表わす。第二電流値６２３は、色温度設定部１３２が設定した設定色温度が同じ行の設定色温度６２１と一致する場合に、光源駆動回路１１２ｂが光源回路１２２ｂに流す電流として設定すべき値を表わす。光源回路１２２ａ，１２２ｂの電流電圧特性が一定であれば、光源回路１２２ａ，１２２ｂに流す電流を制御することにより、光源回路１２２ａ，１２２ｂに供給する電力を制御することができる。この例に示した電力算出テーブル６２０によれば、設定色温度が３０００Ｋの場合、光源回路１２２ａに流す電流は０．３Ａ（アンペア）、光源回路１２２ｂに流す電流は０．６Ａに設定する。設定色温度が４０００Ｋの場合、光源回路１２２ａに流す電流は０．５Ａ、光源回路１２２ｂに流す電流は０．６Ａに設定する。設定色温度が５０００Ｋの場合、光源回路１２２ａに流す電流は０．５Ａ、光源回路１２２ｂに流す電流は０．３Ａに設定する。
なお、光源回路１２２ａ，１２２ｂの電流電圧特性が温度により変化する場合を考慮して、照明装置１００は、光源回路１２２ａ，１２２ｂの電流電圧特性の温度による変化を補償する回路を有する構成であってもよい。
また、光源回路１２２ａ，１２２ｂに流す電流を制御する代わりに、光源回路１２２ａ，１２２ｂに流す電流は所定の値に固定し、光源回路１２２ａ，１２２ｂに電流を流す期間の割合（デューティ比）を制御することにより、光源回路１２２ａ，１２２ｂに供給する電力を制御する構成としてもよい。人の目に感知できないほど高い周波数（例えば１００Ｈｚ（ヘルツ）以上）であれば、光源１２１ａ，１２１ｂを点滅させても、人の目には連続して点灯しているように見える。これを利用して、光源駆動回路１１２ａ，１１２ｂがそれぞれ光源回路１２２ａ，１２２ｂに電流を流す期間と流さない期間とを設け、その期間の割合を変化させることにより、光源回路１２２ａ，１２２ｂに供給する電力を調整する。
【００２６】
なお、色温度設定部１３２と電力設定部１３３とを一つにまとめて、色温度入力回路１１４が入力した色温度信号から光源回路１２２ａ，１２２ｂに供給する電力を直接算出する構成としてもよい。
【００２７】
図６は、この実施の形態における照明処理Ｓ５１０の流れの一例を示すフローチャート図である。
照明処理Ｓ５１０において、照明装置１００は、放射する光の相関色温度を設定し、設定した相関色温度を有する光を放射する。照明処理Ｓ５１０は、色温度設定工程Ｓ５１２、電力設定工程Ｓ５１４、電力供給工程Ｓ５１５を有する。
【００２８】
色温度設定工程Ｓ５１２において、色温度入力回路１１４は、色温度信号を入力する。色温度設定部１３２は、色温度入力回路１１４が入力した色温度信号が表わす指示に基づいて、設定色温度を算出する。
電力設定工程Ｓ５１４において、電力設定部１３３は、色温度設定工程Ｓ５１２で色温度設定部１３２が算出した設定色温度に基づいて、光源駆動回路１１２ａが光源回路１２２ａに供給すべき電力と、光源駆動回路１１２ｂが光源回路１２２ｂに供給すべき電力とを算出する。
電力供給工程Ｓ５１５において、光源駆動回路１１２ａは、電力設定工程Ｓ５１４で電力設定部１３３が算出した電力にしたがって、光源回路１２２ａに電力を供給する。光源駆動回路１１２ｂも同様に、電力設定工程Ｓ５１４で電力設定部１３３が算出した電力にしたがって、光源回路１２２ｂに電力を供給する。
その後、色温度設定工程Ｓ５１２に戻り、以上の工程を繰り返す。
【００２９】
光源１２１ａが放射する光の色度座標（点７２１）と、光源１２１ｂが放射する光の色度座標（点７２２）との組み合わせを適切に設定することにより、所定の相関色温度の範囲において、照明装置１００が生成する光の色度座標の軌跡（線分７０４）を、黒体軌跡７０２もしくはＣＩＥ昼光軌跡７０３にほぼ一致させることができる。例えば、図５に示した例では、相関色温度が３０００Ｋ以上５０００Ｋ以下の範囲において、線分７０４上の点の偏差ｄｕｖは、−０．００１４以上０．００３以下の範囲内に収まる。したがって、照明装置１００は、ＪＩＳ−Ｚ９１１２で定められた昼白色の一部から、白色、温白色、電球色の一部までの範囲の光を生成することができる。
【００３０】
この実施の形態における照明装置１００は、複数の光源１２１ａ，１２１ｂと、混色部１８０とを有する。
上記複数の光源のうち第一の光源１２１ａは、相関色温度が５０００ケルビン以上１００００ケルビン以下かつｘｙ色度図上で示される黒体軌跡との偏差ｄｕｖが±０．０２以内である光を放射する。
上記複数の光源のうち第二の光源１２１ｂは、主波長が５７０ナノメートル以上６００ナノメートル以下である光を放射する。
上記混色部１８０は、上記第一の光源１２１ａが放射した光と上記第二の光源１２１ｂが放射した有彩色光とを混合して、相関色温度が１００００ケルビン以下である光を生成する。
【００３１】
この実施の形態における照明装置１００によれば、第一の光源１２１ａが放射した光と、第二の光源１２１ｂが放射した光とを、混色部１８０が混合した光を生成するので、所定の相関色温度の範囲内において、黒体軌跡７０２もしくＣＩＥ昼光軌跡７０３とほぼ一致する色度座標を有する光を生成することができる。
これにより、そこに窓があるかのような錯覚を使用者に与えることができ、窓のない室内における使用者の閉塞感を軽減できる。
また、黒体軌跡７０２もしくＣＩＥ昼光軌跡７０３とほぼ一致する色度座標を有する光を、２種類の光源のみで生成することができるので、照明装置１００の部品数を削減することができ、照明装置１００の製造コストや消費電力を抑えることができる。
【００３２】
この実施の形態における照明装置１００は、更に、色温度設定部１３２と、発光強度設定部（電力設定部１３３）とを有する。
上記色温度設定部１３２は、１００００ケルビン以下の相関色温度からいずれかの相関色温度を選択して、設定色温度とする。
上記発光強度設定部は、上記混色部１８０が生成する光の相関色温度が、上記色温度設定部１３２が選択した設定色温度となるよう、上記複数の光源１２１ａ，１２１ｂの発光強度を設定する。
【００３３】
この実施の形態における照明装置１００によれば、混色部１８０が生成する光の相関色温度が、色温度設定部１３２が選択した設定色温度となるよう、２種類の光源の発光強度を設定するので、照明装置１００が放射する光の相関色温度を変化させることができる。
２種類の光源が放射する光の色度座標を適切に設定しておけば、所定の相関色温度の範囲内において、照明装置１００が放射する光の色度座標を、黒体軌跡７０２もしくはＣＩＥ昼光軌跡７０３にほぼ一致させることができるので、高い臨場感を得ることができる。
また、黒体軌跡７０２もしくＣＩＥ昼光軌跡７０３とほぼ一致する色度座標を有する混合無彩色光を、２種類の光源の発光強度を調整するだけで生成することができるので、光源の発光強度の制御が容易であり、照明装置１００の製造コストや消費電力を抑えることができる。
【００３４】
この実施の形態における照明装置１００は、更に、色温度入力回路１１４を有する。
上記色温度入力回路１１４は、上記混色部１８０が生成する光の相関色温度を指示する色温度信号を入力する。
上記色温度設定部１３２は、上記色温度入力回路１１４が入力した色温度信号による指示に基づいて、相関色温度を選択し、設定色温度とする。
【００３５】
この実施の形態における照明装置１００によれば、色温度入力回路１１４が入力した色温度信号による指示に基づいて、照明装置１００が放射する光の相関色温度を色温度設定部１３２が選択するので、照明装置１００が放射する光の相関色温度を、使用者が自由に設定することができる。
【００３６】
この実施の形態における照明装置１００において、上記混色部１８０は、導光板１８１と、拡散部（導光板１８１の拡散パターン・拡散板１８３）とを有する。
上記導光板１８１は、上記複数の光源１２１ａ，１２１ｂが放射した光を入射する。
上記拡散部は、上記導光板１８１が入射した光を拡散して混合する。
【００３７】
この実施の形態における照明装置１００によれば、第一の光源１２１ａが放射した光と、第二の光源１２１ｂが放射した光とを、導光板１８１が入射し、拡散部が拡散して混合するので、２種類の光を均一に混合し、均一な光を生成することができる。
【００３８】
この実施の形態における照明装置１００は、更に、出射部（出射面１８５）を有する。
上記出射部は、上記混色部１８０が生成した光を平面状の出射面１８５からほぼ均一に出射する。
【００３９】
この実施の形態における照明装置１００によれば、混色部１８０が生成した光を、平面状の出射面１８５からほぼ均一に出射するので、窓から取り入れた外光を模すことができ、高い臨場感を得ることができる。
【００４０】
以上説明した照明装置１００は、ＬＥＤからなる複数の光源１２１と、導光板１８１と、複数の該光源の発光強度を制御する制御部（電力設定部１３３）を備える。該光源１２１は、色温度５０００〜１００００Ｋから選ばれる白色光源（第一の光源１２１ａ）と、波長５３０ｎｍ〜７００ｎｍから選ばれる単色光源（第二の光源１２１ｂ）の少なくとも２種類のＬＥＤからなる複数の光源でかつ導光板１８１の端面に配置されている。該導光板１８１は、端面に配置された複数の該光源１２１からの光を該導光板１８１の第一の面（表側の面）から均一に出射する。該制御部は、該白色光源と該単色光源を独立して制御するための入力機能を有する。照明装置１００は、該制御部の入力にしたがって輝度および色温度を可変でき、かつ、面状に光を照射する。
【００４１】
また、単色光源（第二の光源１２１ｂ）は、波長５７０ｎｍ〜６００ｎｍのＬＥＤ光源である。
【００４２】
照明装置１００は、平板状の照明装置であって、壁面に設置することにより擬似窓としての効果をもたらす。
赤（Ｒ）、緑（Ｇ）、青（Ｂ）の３原色の光を出射する３種類のＬＥＤ光源を用いてこれを混合させて白色光を形成しＲＧＢを独立して制御する場合と比較して、照明装置１００は、各光源の明るさのバランスを容易に制御でき、様々な色温度の白色光を発光することができる。
プラズマディスプレイや液晶ディスプレイなどに映像を写す場合と比較して、照明装置１００は、装置の製造コストが低いだけでなく、発光効率が高くなる。
照明装置１００は、ＬＥＤからなる白色光源（第一の光源１２１ａ）と単色光源（第二の光源１２１ｂ）、導光板１８１、さらに該光源の発光強度を制御する制御部とを組合わせることで、自然光に近く、所望する色温度と輝度の光が発光できる。
【００４３】
白色光源（第一の光源１２１ａ）および単色光源（第二の光源１２１ｂ）は、光源用基板（光源基板１２０）の上面に実装し、導光板１８１の端面に配置する。白色光源および単色光源を実装した光源用基板は、回路基板１１０と電気的に接続されている。回路基板１１０は、光源の発光強度を変化させる制御部を持つ回路を含んでいる。
光源となるＬＥＤは、導光板１８１の端面に配置し、導光板１８１に光が入射される。導光板１８１の第二の面には、入射した光が導光板１８１の第一の面から均一に出射されるように、凹凸加工やドット印刷等によって拡散パターンが形成され、さらに反射板１８２が配置されている。導光板１８１の第一の面には、光をランダムに拡散する拡散板１８３が配置されている。導光板１８１の周囲は、光源用基板および回路基板を内蔵するフレーム１９０が囲んでいる。
光源１２１は、調光部（光源駆動回路１１２ａ，１１２ｂ）に接続されている。調光部は、複数の光源１２１に対し、順電流制御またはデューティ制御（光源を高速で点滅させ、その点灯時間の割合を調整する制御）等により発光強度を変化させる。調光部は、制御部に接続されている。制御部は、各々の光源１２１を所望の発光強度にするための入力機能をもち、その入力にしたがった信号を調光部に与える。
【００４４】
各々の光源１２１が所望の発光強度となるよう、制御部に入力を与える。入力の与え方は、例えば、可変抵抗等の抵抗制御でもよい。あるいは、各々の光源１２１の発光強度と該光源の混合による色温度との相関値を別に計算しておき、マイコン１３０にその相関値を書き込み、所望の色温度をデジタル入力することでマイコン１３０の演算機能により各々の光源の発光強度を割り出してもよい。制御部は、調光部に光源１２１の発光強度を決める信号を送り、調光部はその信号にしたがって光源１２１の発光強度を制御する。
制御部の入力にしたがって発光した各々の光源１２１から放射された光は、導光板１８１の端面へ入射する。白色光および単色光は、導光板１８１の中で反射を繰り返すことで混合されながら、導光板１８１の第二の面の拡散パターンと反射板１８２で拡散反射され、導光板１８１の第一の面から出射する。拡散パターンは、光源に近い側が疎、遠い側が密となるようにドット印刷または凹凸加工され、第一の面からの光出射が均一となるように設計される。第一の面から出射した光は、拡散板１８３により光の出射方向をランダムに分散することで眩しさを抑制する。
【００４５】
白色光源（第一の光源１２１ａ）の相関色温度は例えば５０００Ｋ、単色光源（第二の光源１２１ｂ）の主波長は例えば５８３ｎｍである。白色光源（第一の光源１２１ａ）および単色光源（第二の光源１２１ｂ）の各々の光の強さを調整することにより、黒体軌跡７０２上５０００Ｋの色度座標と、色度図の外周線（スペクトル軌跡７０１）上５８３ｎｍの色度座標とを結ぶ線上の色度座標の光を作ることができる。これにより、照明装置１００は、３０００Ｋから５０００Ｋの範囲において、黒体が発する光に近い光を放射する。自然光は黒体が発する光に近いので、上記の混合した光は、自然光に近い良質の照明光となる。
【００４６】
なお、白色光源（第一の光源１２１ａ）の相関色温度は、例えば５０００Ｋ以上１００００Ｋ以下、単色光源（第二の光源１２１ｂ）の主波長は、例えば５７０ｎｍ以上６００ｎｍ以下であれば、混合した光は黒体の発する光の色度に近くなり、良質の照明光となる。
【００４７】
これにより、自然光に近い発光が可能であり、かつ制御部の入力にしたがって色温度および輝度が可変でき、さらに面状の光出射が可能となる。
【００４８】
なお、照明装置１００は、放射する光の相関色温度を自由に設定できるだけでなく、光源回路１２２ａ及び光源回路１２２ｂに供給する電力を設定する電力設定部１３３の設定値を、相関色温度を変えることなく両方の光源回路の電力設定を増加したり減少したりすることで調光する機能を持たせることが可能である。
【００４９】
実施の形態２．
実施の形態２について、図７〜図８を用いて説明する。
なお、実施の形態１と共通する部分については、同一の符号を付し、説明を省略する。
【００５０】
光源１２１には、少なくとも３種類の光源が含まれる。
第一の種類の光源１２１ａは、例えば白色光源や無彩色光源である。第二の種類の光源１２１ｂは、例えば単色光源や有彩色光源である。第三の種類の光源（以下「光源１２１ｃ」と呼ぶ。）は、光源１２１ｂと同様、例えば単色光源や有彩色光源である。光源１２１ｃは、光源１２１ｂと異なる主波長を有する。
【００５１】
図７は、この実施の形態における照明装置１００の機能ブロックの一例を示すブロック構成図である。
【００５２】
光源基板１２０には、実施の形態１で説明した回路に加えて、更に、光源回路１２２ｃが実装されている。光源回路１２２ｃは、複数の光源１２１ｃを例えば直列に電気接続した回路である。
【００５３】
回路基板１１０には、実施の形態１で説明した回路に加えて、更に、光源駆動回路１１２ｃが実装されている。光源駆動回路１１２ｃは、交流直流変換回路１１１が変換した直流電力を、光源回路１２２ｃに供給する電力に変換する。
【００５４】
３つの光源回路１２２ａ，１２２ｂ，１２２ｃは、それぞれ、光源駆動回路１１２ａ，１１２ｂ，１１２ｃが変換した電力の供給を受け、３種類の光源１２１ａ，１２１ｂ，１２１ｃが光を放射する。混色部１８０は、３種類の光源１２１ａ，１２１ｂ，１２１ｃが放射した光を混合して、均質な光を生成し、出射する。
【００５５】
電力設定部１３３は、色温度設定部１３２が設定した設定色温度に基づいて、光源駆動回路１１２ａが光源回路１２２ａに供給する電力と、光源駆動回路１１２ｂが光源回路１２２ｂに供給する電力と、光源駆動回路１１２ｃが光源回路１２２ｃに供給する電力とを設定する。
【００５６】
図８は、この実施の形態における照明装置１００が放射する光の色度座標の一例を表わす色度図である。
横軸及び縦軸は、ＣＩＥ１９３１標準表色系における色度座標（ｘ，ｙ）を表わす。
【００５７】
点７２４は、光源１２１ｂが放射する光の色度座標を表わす。点７２４の色度座標（ｘ，ｙ）は、例えば、（０．２９，０．６５）である。点７２４は、領域７１４内の所定の点である。領域７１４は、例えば、主波長が５３０ｎｍ以上５７０ｎｍ以下、刺激純度が０．５以上の範囲である。
点７２５は、光源１２１ｃが放射する光の色度座標を表わす。点７２５の色度座標（ｘ，ｙ）は、例えば、（０．６６，０．３２）である。点７２５は、領域７１５内の所定の点である。領域７１５は、例えば、主波長が５９０ｎｍ以上７００ｎｍ以下、刺激純度が０．５以上の範囲である。
三角形７０５は、３つの点７２１，７２４，７２５を頂点とする三角形である。３種類の光源１２１ａ，１２１ｂ，１２１ｃがそれぞれ放射する光束の量（発光強度）を調整することにより、照明装置１００は、三角形７０５内の任意の点の色度座標を有する光を生成することができる。照明装置１００は、三角形７０５内の点のうち、曲線７０６上の点の色度座標を有する光を生成するよう、３種類の光源１２１ａ，１２１ｂ，１２１ｃが放射する光束の量を調整する。曲線７０６は、領域７１３内の点からなる曲線である。領域７１３は、例えば、相関色温度が２０００Ｋ以上５０００Ｋ以下、偏差ｄｕｖが−０．０２以上０．０２以下の範囲である。曲線７０６は、例えば、相関色温度が２０００Ｋ以上５０００Ｋ以下、偏差ｄｕｖが−０．０００１以上０．０００１以下の範囲に含まれ、黒体軌跡７０２にほぼ完全に一致する。したがって、照明装置１００は、ＪＩＳ−Ｚ９１１２で定められた昼白色の一部から、白色、温白色、電球色までの範囲、および更に相関色温度が低い範囲の光を生成することができる。
【００５８】
電力設定部１３３（発光強度設定部）は、照明装置１００が生成する光の相関色温度が、色温度設定部１３２が設定した設定色温度になるよう、光源駆動回路１１２ａが光源回路１２２ａに供給する電力と、光源駆動回路１１２ｂが光源回路１２２ｂに供給する電力と、光源駆動回路１１２ｃが光源回路１２２ｃに供給する電力とを設定する。
【００５９】
このように、３種類の光源を用い、それぞれの光源が放射する光の発光強度を適切に制御することにより、照明装置１００が放射する光の色度座標を、所定の相関色温度の範囲内において、黒体軌跡７０２もしくはＣＩＥ昼光軌跡７０３にほぼ完全に一致させることができる。
【００６０】
この実施の形態における照明装置１００は、複数の光源１２１ａ，１２１ｂ，１２１ｃと、混色部１８０とを有する。
上記複数の光源のうち第一の光源１２１ａは、相関色温度が５０００ケルビン以上１００００ケルビン以下かつｘｙ色度図上で示される黒体軌跡との偏差ｄｕｖが±０．０２以内である光を放射する。
上記複数の光源のうち第二の光源１２１ｂは、主波長が５３０ナノメートル以上５７０ナノメートル以下である光を放射する。
上記複数の光源のうち第三の光源１２１ｃは、主波長が５９０ナノメートル以上７００ナノメートル以下である光を放射する。
上記混色部１８０は、上記複数の光源１２１ａ，１２１ｂ，１２１ｃが放射した光を混合して、相関色温度が１００００ケルビン以下である光を生成する。
【００６１】
この実施の形態における照明装置１００によれば、３つの光源１２１ａ，１２１ｂ，１２１ｃが放射した３種類の光を、混色部１８０が混合した光を生成するので、所定の相関色温度の範囲内において、黒体軌跡７０２もしくＣＩＥ昼光軌跡７０３とほぼ完全に一致する色度座標を有する光を生成することができる。
これにより、より高い臨場感を得ることができるので、そこに窓があるかのような錯覚を使用者に与えることができ、窓のない室内における使用者の閉塞感を軽減できる。
【００６２】
この実施の形態における照明装置１００は、更に、色温度入力回路１１４を有する。
上記色温度入力回路１１４は、上記混色部１８０が生成する光の相関色温度を指示する色温度信号を入力する。
上記色温度設定部１３２は、上記色温度入力回路１１４が入力した色温度信号による指示に基づいて、相関色温度を選択し、設定色温度とする。
【００６３】
この実施の形態における照明装置１００によれば、色温度入力回路１１４が入力した色温度信号による指示に基づいて、照明装置１００が放射する光の相関色温度を色温度設定部１３２が選択するので、照明装置１００が放射する光の相関色温度を、使用者が自由に設定することができる。
【００６４】
以上説明した照明装置１００において、単色光源（第二の光源１２１ｂ、第三の光源１２１ｃ）は、波長５３０ｎｍ〜５７０ｎｍと波長５９０ｎｍ〜７００ｎｍの２種類から選ばれる。制御部は、２種類の該単色光源を白色光源（第一の光源１２１ａ）と混色させた際に、その混色光の色度がｘｙ色度図において黒体軌跡と一致または黒体軌跡からの偏差ｄｕｖが±０．０２以内となるように各々の単色光源の発光強度を制御する。
【００６５】
例えば、白色光源（第一の光源１２１ａ）は、相関色温度が７０００ＫのＬＥＤを使用し、単色光源（第二の光源１２１ｂ、第三の光源１２１ｃ）は、主波長５４０ｎｍと６２０ｎｍの２種類のＬＥＤを使用する。制御部（電力設定部１３３）は、白色光源（第一の光源１２１ａ）と２種類の単色光源（第二の光源１２１ｂ、第三の光源１２１ｃ）のそれぞれの発光強度を決める入力を持ち、その入力にしたがった信号を調光部（光源駆動回路１１２ａ，１１２ｂ）に与える。照明装置１００は、白色光源（第一の光源１２１ａ）１および２種類の単色光源（第二の光源１２１ｂ、第三の光源１２１ｃ）の各々の光の強さを調整することにより、ＣＩＥ色度図上において、相関色温度７０００Ｋの白色光源（第一の光源１２１ａ）の色度座標、５４０ｎｍの単色光源（第二の光源１２１ｂ）の色度座標、６２０ｎｍの単色光源（第三の光源１２１ｃ）の色度座標の３つの点を頂点とする三角形の範囲内の色の光を作ることができる。
相関色温度７０００Ｋの白色光源（第一の光源１２１ａ）と主波長５４０ｎｍおよび主波長６２０ｎｍの２種類の単色光源（第二の光源１２１ｂ、第三の１２１ｃ）とを混合させて照明光とするので、黒体が発する光の広範囲の色温度に合わせこむことができる。また、赤色光である主波長５４０ｎｍの光源と緑色光である主波長６２０ｎｍの光源とを照明光として用いるため、演色性の高い光源となる。
なお、各々の単色光源（第二の光源１２１ｂ、第三の光源１２１ｃ）は、所望する相関色温度に対し、自然光である黒体の軌跡との偏差ｄｕｖを±０．０２以内に抑えることが好ましい。
【００６６】
なお、照明装置１００は、放射する光の相関色温度を自由に設定できるだけでなく、光源回路１２２ａ及び光源回路１２２ｂ、光源回路１２２ｃに供給する電力を設定する電力設定部１３３の設定値を、相関色温度を変えることなく３つの光源回路の電力設定を増加したり減少したりすることで調光する機能を持たせることが可能である。
【００６７】
実施の形態３．
実施の形態３について、図９〜図１１を用いて説明する。
なお、実施の形態１または実施の形態２と共通する部分については、同一の符号を付し、説明を省略する。
【００６８】
この実施の形態では、照明装置が放射する光の相関色温度を使用者が指示するのではなく、現在時刻に合わせて自動的に相関色温度や調光度が変化する構成について説明する。
【００６９】
図９は、この実施の形態における照明装置１００の機能ブロックの一例を示すブロック構成図である。
照明装置１００は、実施の形態１で説明した構成と比較して、回路基板１１０に色温度入力回路１１４が実装されていない。その代わり、マイコン１３０が、計時部１３１を実現する。
【００７０】
計時部１３１は、現在時刻を計測する。計時部１３１は、例えば、マイコン１３０が内蔵する時計である。なお、計時部１３１は、外部の時計から現在時刻を取得する構成であってもよい。
【００７１】
色温度設定部１３２は、計時部１３１が計測した現在時刻に基づいて、照明装置１００が出射面１８５から出射する光の相関色温度を決定して、設定色温度とする。
外光の相関色温度は、時刻によって変化する。天候などの影響ももちろんあるが、例えば晴天であると仮定すると、午前中は相関色温度が高く、午後になると相関色温度が低くなる傾向がある。夕方には、夕焼けにより、更に相関色温度が低くなる。
照明装置１００が出射する光は、外光を模したものであるから、時刻による外光の相関色温度の変化を模すことにより、より高い臨場感を得ることができる。
【００７２】
図１０は、この実施の形態における色温度算出テーブル６１０の一例を示す図である。
あらかじめ、ＲＯＭが色温度算出テーブル６１０を記憶しておく。色温度設定部１３２は、ＲＯＭが記憶した色温度算出テーブル６１０を検索して、計時部１３１が計測した現在時刻に対応する設定色温度を取得する。
【００７３】
色温度算出テーブル６１０は、時刻６１１及び設定色温度６１２の組からなる行（レコード）を複数含む。
設定色温度６１２は、現在時刻が、同じ行の時刻６１１から次の行の時刻６１１までの間である場合における設定色温度を表わす。この例に示した色温度算出テーブル６１０によれば、午前６時（点灯時刻）から正午までの間の設定色温度は５０００Ｋ（ケルビン）である。正午から午後５時までの間の設定色温度は４０００Ｋである。午後５時（夕焼け開始時刻）から午後６時（消灯時刻）までの間の設定色温度は３０００Ｋである。
【００７４】
なお、設定色温度が不連続に変化すると不自然になることを考慮して、設定色温度を連続的に変化させる構成としてもよい。例えば、午後５時までの設定色温度を４０００Ｋ、午後５時３０分からの設定色温度を３０００Ｋとし、午後５時から午後５時３０分までの３０分間は、設定色温度を連続的に変化させる期間（以下「連続変化期間」と呼ぶ。）とする。例えば、色温度算出テーブル６１０に、時刻６１１に代えて、色温度固定期間の開始時刻と終了時刻を設け、前の色温度固定期間の終了時刻と、次の色温度固定期間の開始時刻との間に差がある場合、その間の期間が連続変化期間であることを表わす。
色温度設定部１３２は、計時部１３１が計測した現在時刻に基づいて、連続変化期間の開始時刻（午後５時）からの経過時間を算出する。色温度設定部１３２は、算出した経過時間を、連続変化期間の長さ（３０分）で割った商を算出する。色温度設定部１３２は、連続変化期間の終了時の設定色温度（３０００Ｋ）から連続変化期間の開始時の設定色温度（４０００Ｋ）を差し引いた差（−１０００Ｋ）を、算出した商に乗じた積を算出する。色温度設定部１３２は、連続変化期間の開始時の設定色温度（４０００Ｋ）に、算出した積を加えた和を算出して、設定色温度とする。例えば、現在時刻が午後５時１５分である場合、色温度設定部１３２は、午後５時からの経過時間（１５分）を算出し、これを３０分で割った商（０．５）を算出し、これに−１０００Ｋを乗じた積（−５００Ｋ）を算出し、これに４０００Ｋを加えた和（３５００Ｋ）を算出して、設定色温度とする。これにより、より高い臨場感を得ることができる。
【００７５】
なお、この例では、点灯時刻および消灯時刻が固定されているが、例えば季節による日の出日の入り時刻の変動に合わせて、点灯時刻・消灯時刻を変化させる構成としてもよい。例えば、設置場所の緯度・経度をあらかじめ設定してＲＯＭが記憶しておき、色温度設定部１３２は、計時部１３１が計測した現在時刻（日付を含む）と、ＲＯＭが記憶した緯度・経度とに基づいて、日の出時刻および日の入り時刻を算出する。色温度設定部１３２は、算出した日の出時刻を点灯時刻に設定し、算出した日の入り時刻を消灯時刻に設定し、算出した日の入り時刻から所定の時間（例えば１時間）前の時刻を夕焼け開始時刻に設定する。これにより、より高い臨場感を得ることができる。
【００７６】
また、室内に人がいない場合は、照明装置１００が点灯しないよう構成してもよい。例えば、照明装置１００が事務所に設置される場合、出勤時刻・退勤時刻をあらかじめ設定してＲＯＭが記憶しておき、点灯時刻より後であっても出勤時刻より前である場合や、消灯時刻より前であっても退勤時刻より後である場合は、照明装置１００を点灯しない構成としてもよい。あるいは、照明装置１００は、人感センサからの信号を入力し、人感センサが人を検出した場合のみ、照明装置１００を点灯する構成としてもよい。これにより、無駄な電力消費を抑え、省エネを図ることができる。
【００７７】
なお、照明装置１００は、敢えて、設置場所の外光と異なる設定色温度を選択する構成としてもよい。例えば、海外出張にこれから行く人の時差ボケ防止や海外出張から帰ってきた人の時差ボケ解消を目的として、色温度設定部１３２は、出張先の現地時間に対応する設定色温度を設定する。例えば、出張先との時差をあらかじめ設定してＲＯＭが記憶しておき、色温度設定部１３２は、計時部１３１が計測した現在時刻と、ＲＯＭが記憶した時差とに基づいて、現地時間を算出する。色温度設定部１３２は、算出した現地時間に基づいて、設定色温度を設定する。
あるいは、ノー残業デーの定時退社の促進を図ることを目的として、色温度設定部１３２は、現実の夕焼け開始時刻より早い時刻を夕焼け開始時刻として算出し、現実の日の入り時刻より早い時刻を消灯時刻として算出する。これにより、あたかも外が暗くなったかのような印象を与え、退社を促すことができる。
【００７８】
図１１は、この実施の形態における照明処理Ｓ５１０の流れの一例を示すフローチャート図である。
照明処理Ｓ５１０において、照明装置１００は、放射する光の相関色温度を設定し、設定した相関色温度を有する光を放射する。照明処理Ｓ５１０は、実施の形態１で説明した工程に加えて、計時工程Ｓ５１１を有する。
【００７９】
計時工程Ｓ５１１において、計時部１３１は、現在時刻を計測する。
色温度設定工程Ｓ５１２において、色温度設定部１３２は、計時工程Ｓ５１１で計時部１３１が計測した現在時刻に基づいて、設定色温度を算出する。
電力設定工程Ｓ５１４において、電力設定部１３３は、色温度設定工程Ｓ５１２で色温度設定部１３２が算出した設定色温度に基づいて、光源駆動回路１１２ａが光源回路１２２ａに供給すべき電力と、光源駆動回路１１２ｂが光源回路１２２ｂに供給すべき電力とを算出する。
電力供給工程Ｓ５１５において、光源駆動回路１１２ａは、電力設定工程Ｓ５１４で電力設定部１３３が算出した電力にしたがって、光源回路１２２ａに電力を供給する。光源駆動回路１１２ｂも同様に、電力設定工程Ｓ５１４で電力設定部１３３が算出した電力にしたがって、光源回路１２２ｂに電力を供給する。
その後、計時工程Ｓ５１１に戻り、以上の工程を繰り返す。
【００８０】
このように、計時部１３１が計測した現在時刻に基づいて、色温度設定部１３２が相関色温度を設定するので、時間の経過に伴う外光の変化を模すことができ、高い臨場感を得ることができる。
【００８１】
この実施の形態における照明装置１００は、更に、計時部１３１を有する。
上記計時部１３１は、現在時刻を計測する。
上記色温度設定部１３２は、上記計時部１３１が計測した現在時刻に基づいて、自然光の相関色温度とほぼ一致する相関色温度を選択し、設定色温度とする。
【００８２】
この実施の形態における照明装置１００によれば、計時部１３１が計測した現在時刻に基づいて、自然光の相関色温度とほぼ一致する相関色温度を色温度設定部１３２が選択するので、時間の経過により照明装置１００が放射する光の相関色温度を変化させることができ、高い臨場感を得ることができる。特に、照明装置１００が放射する光の相関色温度を、その時刻における昼光の平均的な相関色温度と一致させることにより、より高い臨場感を得ることができる。
【００８３】
また、制御部（マイコン１３０）は、複数の光源１２１の発光強度を時刻に応じて制御する。制御部は、時刻に応じて点灯および消灯、ならびに点灯時に所望する色温度と輝度にするための計時部１３１、プログラム機能およびメモリー機能を有する。照明装置１００は、時刻にしたがって点灯および消灯、ならびに点灯時に所望する色温度と輝度を可変でき、かつ、面状の光を照射する。
【００８４】
また、制御部は、プログラムを実行することにより、時刻に応じて点灯および消灯ならびに点灯時に好みの色温度、好みの輝度とする機能を有する。計時部１３１は、現在時刻を計測する。制御部は、計時部１３１の時刻情報とプログラム情報とを論理計算することで現在時刻にプログラムされた照明状態となるように光源の点灯および発光強度の信号を調光部に与える。
【００８５】
あらかじめ、各々の光源１２１が決められた時刻に所望の発光強度となるようプログラムしておく。例えば、起床時間やオフィスの就業開始時刻に点灯し、午前中は色温度を５０００Ｋ（例えば白色光（無彩色光）のみを点灯）、正午から午後５時までは色温度を４０００Ｋ、午後５時から午後６時までは色温度を３０００Ｋとし、６時以降は消灯するようにする。これにより、日照時間と点灯時間とが同期するだけでなく日光の各時刻の色温度変化に近づくことになり、擬似窓としての臨場感を高くすることができる。
プログラムされた情報は、計時部１３１の時間情報とともに制御部で論理計算される。制御部は、各々の時刻での光源１２１の所望の発光強度を決める信号を調光部に送る。調光部は、その信号にしたがって光源１２１の発光強度を制御する。
プログラムにしたがって発光した光源が放射した光は、導光板１８１の端面へ入射し、導光板１８１の第一の面から出射する。
【００８６】
これにより、自然光に近い発光が可能であり、かつ時刻にしたがって点灯、消灯、色温度および輝度が可変でき、さらに面状の光出射が可能となる。
【００８７】
実施の形態４．
実施の形態４について、図１２を用いて説明する。
なお、実施の形態１〜実施の形態３と共通する部分については、同一の符号を付し、説明を省略する。
【００８８】
図１２は、この実施の形態における照明装置１００の機能ブロックの一例を示すブロック構成図である。
光源基板１２０には、実施の形態３で説明した回路に加えて、更に、光源回路１２２ｃが実装されている。
回路基板１１０には、実施の形態３で説明した回路に加えて、更に、光源駆動回路１１２ｃが実装されている。
【００８９】
このように、実施の形態３で説明した現在時刻に合わせて自動的に相関色温度や調光度が変化する構成を、実施の形態２で説明した光源１２１が３種類の光源を含む構成に適用してもよい。
【００９０】
なお、光源１２１の種類は３種類に限らず、４種類以上であってもよい。
これにより、より自然光に近い光を放射することができる。
【００９１】
実施の形態５．
実施の形態５について、図１３〜図１５を用いて説明する。
なお、実施の形態１〜実施の形態４と共通する部分については、同一の符号を付し、説明を省略する。
【００９２】
この実施の形態では、照明装置が放射する光の相関色温度が現在時刻に合わせて自動的に変化するとともに、照明装置の調光度を利用者が自由に設定できる構成について説明する。
【００９３】
図１３は、この実施の形態における照明装置１００の機能ブロックの一例を示すブロック構成図である。
【００９４】
回路基板１１０には、実施の形態３で説明した回路に加えて、更に、調光入力回路１１３が実装されている。
調光入力回路１１３は、調光信号を入力する。調光信号は、照明装置１００が放射する光の調光度を指示する信号である。調光信号は、例えば、パルス幅変調された信号であり、デューティ比が調光度を表わす。調光信号は、例えばリモコンなど使用者の操作を入力する装置が、入力した操作にしたがって生成する。
例えば、調光信号は、赤外線信号である。調光入力回路１１３は、赤外線受光回路を有する。調光入力回路１１３は、赤外線受光回路が受光した赤外線慎吾をマイコン１３０が入力できる形式の信号に変換する。
なお、この実施の形態における調光信号は、調光度を指定することを表わすだけでなく、調光度を指定しないことを表わすこともできるものとする。調光信号が調光度を指定することを表わす場合、調光信号は、指定する調光度を表わし、照明装置１００は、調光信号が表わす調光度にしたがって、放射する光の強さを決定する。調光信号が調光度を指定しないことを表わす場合、照明装置１００は、調光度を決定し、決定した調光度にしたがって、放射する光の強さを決定する。
【００９５】
マイコン１３０は、実施の形態３で説明した機能ブロックに加えて、更に、調光度設定部１３４を実現する。
調光度設定部１３４は、調光入力回路１１３が入力した調光信号と、計時部１３１が計測した現在時刻とに基づいて、照明装置１００の調光度を設定する。調光度設定部１３４は、調光信号を解釈する。調光信号が調光度を指定している場合、調光度設定部１３４は、調光信号が表わす調光度を照明装置１００の調光度として設定する。調光信号が調光度を指定していない場合、調光度設定部１３４は、計時部１３１が計測した現在時刻に基づいて調光度を算出し、算出した調光度を照明装置１００の調光度として設定する。例えば、現在時刻が夜である場合、調光度設定部１３４は、照明装置１００の調光度を０％（すなわち消灯状態）に設定する。現在時刻が昼である場合、調光度設定部１３４は、照明装置１００の調光度を１００％に設定する。現在時刻が明け方である場合、調光度設定部１３４は、照明装置１００の調光度を０％から１００％へ連続的もしくは段階的に変化させる。現在時刻が夕方である場合、調光度設定部１３４は、照明装置１００の調光度を１００％から０％へ連続的もしくは段階的に変化させる。
【００９６】
電力設定部１３３は、色温度設定部１３２が設定した設定色温度と、調光度設定部１３４が設定した調光度とに基づいて、光源駆動回路１１２ａが光源回路１２２ａに供給する電力と、光源駆動回路１１２ｂが光源回路１２２ｂに供給する電力とを設定する。
【００９７】
光源１２１が放射する光束の量（発光強度）は、必ずしも、光源１２１における消費電力に比例しない。このため、例えば、照明装置１００が放射する光を５０％に調光しようとした場合、光源回路１２２ａ，１２２ｂに供給する電力を１００％調光の場合の半分にしただけでは、２種類の光源１２１ａ，１２１ｂが放射する光束の量の割合が１００％調光の場合と等しくならず、１００％調光の場合と異なる相関色温度になる場合がある。
【００９８】
そこで、電力設定部１３３は、設定色温度と調光度とに基づいて、光源回路１２２ａ，１２２ｂに供給する電力を設定する。例えば、電力設定部１３３は、色温度設定部１３２が設定した設定色温度と、調光度設定部１３４が設定した調光度とに基づいて、電力算出テーブル６２０を検索し、光源回路１２２ａに供給すべき電力と、光源回路１２２ｂに供給すべき電力とを取得する。
【００９９】
図１４は、この実施の形態における電力算出テーブル６２０の一例を示す図である。
電力算出テーブル６２０は、設定色温度６２１、第一電流値６２２、第二電流値６２３、調光度６２４を含む。
電力算出テーブル６２０は、設定色温度６２１を行インデックスとし、調光度６２４を列インデックスとするクロス表形式のテーブルである。例えば、設定色温度が３０００Ｋ、調光度が５０％である場合、光源駆動回路１１２ａが光源回路１２２ａに流す電流を０．１８Ａ、光源駆動回路１１２ｂが光源回路１２２ｂに流す電流を０．３２Ａに設定することを表わす。
【０１００】
図１５は、この実施の形態における照明処理Ｓ５１０の流れの一例を示すフローチャート図である。
照明処理Ｓ５１０は、実施の形態３で説明した工程に加えて、更に、調光度設定工程Ｓ５１３を有する。
【０１０１】
色温度設定工程Ｓ５１２が終了したのち、照明装置１００は、調光度設定工程Ｓ５１３へ進む。
調光度設定工程Ｓ５１３において、調光度設定部１３４は、調光入力回路１１３が入力した調光信号と、計時部１３１が計測した現在時刻とに基づいて、照明装置１００の調光度を設定する。
電力設定工程Ｓ５１４において、電力設定部１３３は、色温度設定工程Ｓ５１２で色温度設定部１３２が設定した設定色温度と、調光度設定工程Ｓ５１３で調光度設定部１３４が設定した調光度とに基づいて、光源駆動回路１１２ａが光源回路１２２ａに供給すべき電力と、光源駆動回路１１２ｂが光源回路１２２ｂに供給すべき電力とを算出する。
【０１０２】
このように、電力設定部１３３が、設定色温度と調光度とに基づいて、光源回路１２２ａ，１２２ｂに供給する電力を算出するので、調光度が１００％でない場合であっても、照明装置１００が放射する光を、所望の相関色温度とすることができる。
【０１０３】
なお、照明装置１００は、更に、色温度入力回路１１４を有する構成であってもよい。例えば、色温度設定部１３２は、色温度入力回路１１４が色温度信号を入力した場合、入力した色温度信号による指示に基づいて、相関色温度を設定する。また、色温度設定部１３２は、色温度入力回路１１４が色温度信号を入力しない場合、計時部１３１が計測した現在時刻に基づいて、相関色温度を設定する。
これにより、時間の経過に伴って照明装置１００が放射する光の相関色温度が変化するとともに、利用者が相関色温度を自由に設定することもできる。
【０１０４】
また、１つの調光色温度信号が、調光度を指示する調光信号としての意味と、色温度を指示する色温度信号としての意味とを合わせ持つ構成であってもよい。照明装置１００は、調光信号と色温度信号とを別々に入力するのではなく、１つの調光色温度信号を入力する。色温度設定部１３２は、調光色温度信号と計時部１３１が計測した現在時刻とに基づいて、相関色温度を設定する。調光度設定部１３４は、調光色温度信号と計時部１３１が計測した現在時刻とに基づいて、調光度を設定する。
これにより、信号を入力するための回路が１つになるので、照明装置１００の部品数を削減することができ、照明装置１００の製造コストを抑え、信頼性を向上し、消費電力を抑えることができる。
【０１０５】
また、照明装置１００は、計時部１３１を設けない構成であってもよい。色温度設定部１３２は、色温度信号または調光色温度信号に基づいて、相関色温度を設定する。調光度設定部１３４は、調光信号または調光色温度信号に基づいて、調光度を設定する。
これにより、利用者が相関色温度と調光度とを自由に設定することができる。
【０１０６】
なお、光源１２１の種類は２種類に限らず、実施の形態２のように３種類であってもよいし、４種類以上であってもよい。
これにより、より自然光に近い光を放射することができる。
【０１０７】
実施の形態６．
実施の形態６について、図１６〜図１８を用いて説明する。
なお、実施の形態１〜実施の形態５と共通する部分については、同一の符号を付し、説明を省略する。
【０１０８】
図１６は、この実施の形態における照明装置１００の内部構造の一例を示す断面正視図である。
照明装置１００は、実施の形態１〜実施の形態４で説明した構造に加えて、更に、プリズム板１８４を有する。
【０１０９】
プリズム板１８４（出射部）は、例えば長方形板状である。プリズム板１８４は、例えばアクリル製である。プリズム板１８４は、拡散板１８３とほぼ同じ広さを有し、拡散板１８３の表側に重ねて配置されている。プリズム板１８４の一部は、出射面１８５として照明装置１００の外部に露出している。プリズム板１８４は、拡散板１８３が拡散して出射した光を下方向に屈折させ、屈折した光を出射面１８５から出射する。
【０１１０】
図１７は、この実施の形態におけるプリズム板１８４の構造の一例を示す側面視拡大断面図である。
この図において、左は照明装置１００が光を出射する出射面１８５の側を表わし、右は拡散板１８３など照明装置１００の内側を表わす。照明装置１００が放射する光は、右側からプリズム板１８４に入射し、左側に出射される。
プリズム板１８４は、出射面１８５側の面に断面鋸状の凹凸を有する。凹凸のピッチｄは、例えば３０ｍｍ、凹凸の角度θは、例えば２０度である。また、プリズム板１８４の絶対屈折率は、例えば約１．５である。
【０１１１】
図１８は、この実施の形態における照明装置１００の配光特性の一例を示すグラフ図である。
曲線７３２は、拡散板１８３が出射し、プリズム板１８４に入射する光の配光特性を表わす。曲線７３１は、プリズム板１８４が出射する光の配光特性を表わす。
【０１１２】
光源１２１が放射した光は、混色部１８０で混合され、均質な光となって拡散板１８３の表面から出射される。拡散板１８３が出射する光の強度は、拡散板１８３に対して垂直な方向が一番強く、垂直方向から離れるほど弱くなる。
プリズム板１８４は、入射した光を下方向へ屈折させる。これにより、プリズム板１８４が出射する光が一番強い方向は、出射面１８５に垂直な方向よりも下寄りの方向に曲げられる。
【０１１３】
窓を通して取り入れられる外光は、上空にある太陽から放射されるものであるから、斜め下向きである。プリズム板１８４が出射する光の方向を曲げて斜め下向きにすることにより、照明装置１００が出射する光が、窓を通して取り入れられる光により近い光になり、更に高い臨場感を得ることができる。
【０１１４】
この実施の形態における照明装置１００において、上記出射部（プリズム板１８４）は、上記出射面１８５に対して所定の角度をなす方向（斜め下方向）を中心として、上記混色部１８０が生成した光を出射する。
【０１１５】
この実施の形態における照明装置１００によれば、出射面に対して垂直な方向を中心として光を出射する場合よりも外光に近い光を出射するので、より高い臨場感を得ることができる。
【０１１６】
この実施の形態における照明装置１００において、上記出射部は、上記混色部１８０が生成した光を出射する方向を、上記出射面１８５に対して所定の角度をなす方向へ屈折させるプリズム板１８４を有する。
【０１１７】
この実施の形態における照明装置１００によれば、出射する光の方向をプリズム板１８４が屈折させるので、出射面に対して垂直な方向を中心として光を出射する場合よりも外光に近い光を出射することができ、より高い臨場感を得ることができる。
【０１１８】
以上説明した照明装置１００において、導光板１８１の第一の面の側にプリズム板１８４を配置する。
プリズム板１８４は、例えば、鉛直線に対して２０度の面角度θを持ったアクリル製のプリズム板であり、そのピッチｄは、例えば３０ｍｍである。
このように、導光板１８１の第一の面に鉛直線に対して２０度の面角度θでアクリル製のプリズム板１８４を配置することにより、水平方向の出射光を概ね１０度程度下方に向けることができる。これにより、導光板からの出射光が水平方向から下向きに変わるので、太陽光を拡散する窓に似た臨場感の高い擬似窓が得られる。
なお、出射光を更に下向きにしたい場合は、角度θを大きくすればよい。また、拡散量の多い出射光を得たい場合は、ピッチｄの短いプリズム板を使用すればよい。ピッチを短くすると各プリズム要素間の境界領域が増加し、それが出射光に対して拡散源となるからである。
【０１１９】
以上説明した照明装置１００は、壁面に設置することのできる平板状の照明装置として利用できる。更に、照明装置１００は、窓のない室内空間において、擬似窓としての効果をもたらす照明装置として利用できる。
【符号の説明】
【０１２０】
１００  照明装置、１１０  回路基板、１１１  交流直流変換回路、１１２  光源駆動回路、１１３  調光入力回路、１１４  色温度入力回路、１２０  光源基板、１２１  光源、１２２  光源回路、１３０  マイコン、１３１  計時部、１３２  色温度設定部、１３３  電力設定部、１３４  調光度設定部、１７０  配線、１８０  混色部、１８１  導光板、１８２  反射板、１８３  拡散板、１８４  プリズム板、１８５  出射面、１９０  フレーム、６１０  色温度算出テーブル、６１１  時刻、６１２  設定色温度、６２０  電力算出テーブル、６２１  設定色温度、６２２  第一電流値、６２３  第二電流値、６２４  調光度、７０１  スペクトル軌跡、７０２  黒体軌跡、７０３  ＣＩＥ昼光軌跡、７０４  線分、７０５  三角形、７０６，７３１，７３２  曲線、７１１〜７１５  領域、７２１〜７２５  点、ＡＣ  交流電源。
【図１】
2011138731.tif 000003
【図２】
2011138731.tif 000004
【図３】
2011138731.tif 000005
【図４】
2011138731.tif 000006
【図５】
2011138731.tif 000007
【図６】
2011138731.tif 000008
【図７】
2011138731.tif 000009
【図８】
2011138731.tif 000010
【図９】
2011138731.tif 000011
【図１０】
2011138731.tif 000012
【図１１】
2011138731.tif 000013
【図１２】
2011138731.tif 000014
【図１３】
2011138731.tif 000015
【図１４】
2011138731.tif 000016
【図１５】
2011138731.tif 000017
【図１６】
2011138731.tif 000018
【図１７】
2011138731.tif 000019
【図１８】
2011138731.tif 000020